(57)【特許請求の範囲】
【請求項１】
吸込口と排気口を有する本体ケースと、この本体ケース内の前記吸込口と前記排気口を結ぶ風路に設けた加熱手段および送風手段と、この送風手段と前記排気口間の風路内に設けた液体微細化手段とを備え、前記液体微細化手段は、上下方向に開口した筒状の経路と、この筒状の経路内に設けた回転手段と、この回転手段に液体を供給する液体供給手段とを有し、前記回転手段は、上下方向に向けて配置した回転軸と、この回転軸の軸方向に所定間隔で固定した複数の回転板とを有し、前記液体供給手段は、液体を移送し、上方の回転板に液体を供給する給水管と、この給水管途中に配した定流量弁と、この定流量弁の下流側に第１の開閉弁とを有し、この第１の開閉弁の下流側の前記給水管を分岐させ、この分岐させた配管の途中で分岐箇所より上方に第２の開閉弁を設け、この第２の開閉弁より上方の給水管の先端を上方に開放したことを特徴とする液体微細化装置。
【請求項２】
分岐させた配管はＬ字状であることを特徴とする請求項１に記載の液体微細化装置。
【請求項３】
液体微細化終了時に、送風手段と回転手段の運転を継続した状態で、第１の開閉弁を閉じ、第２の開閉弁を開くことを特徴とする請求項１または２記載の液体微細化装置。
【請求項４】
定流量弁下流側の配管を、筒状の経路の外面に接するように設けることを特徴とする請求項１から３のいずれか一つに記載の液体微細化装置。
【請求項５】
請求項１から４のいずれか一つに記載の液体微細化装置をサウナ室の天井に設けたサウナ装置。
【請求項６】
水加熱手段を有し、この水加熱手段で、前記吸込口と前記排気口を結ぶ風路に設けた前記加熱手段へ供給する温水の一部と熱交換させ加熱した温水をサウナ室に噴霧するノズルを備え、このノズルと前記水加熱手段を接続する配管に第３の開閉弁を設け、この第３の開閉弁の下流側の前記配管を分岐させ、この分岐させた配管の途中で分岐箇所より上方に第４の開閉弁を設け、この第４の開閉弁より上方で、分岐させた配管の先端を上向きに開放したたことを特徴とする請求項５に記載のサウナ装置。
【請求項７】
水加熱手段で加熱した温水を上方の回転板に供給することを特徴とする請求項６に記載のサウナ装置。
【請求項８】
定流量弁下流側の配管を筒状の経路の外面及び水加熱手段に接するように設けることを特徴とする請求項７に記載のサウナ装置。
【発明の詳細な説明】
【技術分野】
【０００１】
本発明は、液体微細化装置とそれを用いたサウナ装置に関するものである。
【背景技術】
【０００２】
例えば、サウナ装置に用いられる液体微細化装置の構成は、次のような構成となっていた。
【０００３】
すなわち、吸込口と排気口を有する本体ケースと、この本体ケース内の通気路に設けた加熱手段および送風手段と、この送風手段と排気口間に設けた水の微細化手段とを備え、前記微細化手段は、液体供給管から液体を噴射させることで水を微細化する構成となっていた（例えば特許文献１参照）。
【先行技術文献】
【特許文献】
【０００４】
【特許文献１】特開平４−１１８０６８号公報
【発明の概要】
【発明が解決しようとする課題】
【０００５】
上記従来例で課題となるのは、微細化停止時に液体供給管内に水が残り、停止時間中に、その残水が空気に触れるために、液体供給管内の残水に菌が発生する恐れがあることである。
【０００６】
すなわち、停止時間が長くなれば液体供給管内の残水に多くの菌が発生する恐れがあり、次の運転時には、送風手段により菌を含んだ微細化水を供給してしまうので、菌の発生のない、クリーンな水を微細化手段に供給することが要求されている。
【０００７】
そこで本発明は、菌の発生のない、クリーンな水を液体微細化手段に供給することを目的とするものである。
【課題を解決するための手段】
【０００８】
そして、この目的を達成するために本発明は、吸込口と排気口を有する本体ケースと、この本体ケース内の前記吸込口と前記排気口を結ぶ風路に設けた加熱手段および送風手段と、この送風手段と前記排気口間の風路内に設けた液体微細化手段とを備え、前記液体微細化手段は、上下方向に開口した筒状の経路と、この筒状の経路内に設けた回転手段と、この回転手段に液体を供給する液体供給手段とを有し、前記回転手段は、上下方向に向けて配置した回転軸と、この回転軸の軸方向に所定間隔で固定した複数の回転板とを有し、前記液体供給手段は、液体を移送し、上方の回転板に液体を供給する給水管と、この給水管途中に配した定流量弁と、この定流量弁の下流側に第１の開閉弁とを有し、この第１の開閉弁の下流側の前記給水管を分岐させ、この分岐させた配管の途中で分岐箇所より上方に第２の開閉弁を設け、分岐させた配管の先端を第２の開閉弁より上方で上向きに開放したことを特徴とし、液体を供給する配管内の残水をなくすことにより、上記目的を達成している。
【発明の効果】
【０００９】
以上のように、本発明は、定流量弁の下流側に第１の開閉弁を設け、この第１の開閉弁の下流側の給水管を分岐させ、この分岐させた配管の途中で分岐箇所より上方に第２の開閉弁を設け、この第２の開閉弁より上方で分岐させた配管の先端を上方に開放した構成により、液体微細化終了時に、第１の開閉弁を閉じ、液体を供給する配管内を大気開放するための第２の開閉弁を開くことで、液体を供給する配管内の残水をなくすことができる。
【００１０】
すなわち、上方の回転板に液体を供給する給水管内に残水があると、この給水管の先端は開放されているため、給水管内の残水は空気に触れ、菌が発生する。そこで本発明では、第１の開閉弁の下流側の残水をなくす、すなわち第１の開閉弁を閉じ、第２の開閉弁を開くことにより、空気に触れる残水をなくすことができるので、次の液体微細化開始時には、菌の発生のない、クリーンな水を微細化手段に供給することができるという効果を奏する。
【００１１】
また、残水を高速で回転する回転手段に供給するので、残水もほぼすべて微細化あるいは気化することができ、その結果として、微細化できなかった液体を排出するために、サウナ室の天井面に液体微細化装置を設置した場合、サウナ室に配管を施工する必要もなく、施工作業が簡単になるという効果も奏する。
【図面の簡単な説明】
【００１２】
【図１】本発明の実施の形態における液体微細化装置を用いたサウナ装置の斜視図
【図２】本発明の実施の形態１における液体微細化装置の垂直断面の構成図
【図３】同液体微細化手段の垂直断面の構成図
【図４】同開閉弁の動作状態を示す図
【図５】本発明の実施の形態２における配管構成を示す図
【図６】（ａ）同液体微細化手段の上部構成を示す拡大図、（ｂ）同給水管の構成図
【発明を実施するための形態】
【００１３】
以下、本発明の実施の形態について、図面を参照しながら説明する。
【００１４】
（実施の形態１）
図１は、本発明の実施の形態における液体微細化装置を用いたサウナ装置の斜視図であり、この図１に示すように、サウナ室１の天井面２には、液体微細化装置３が取り付けられている。以下、本実施の形態では、微細化する液体を水として説明する。
【００１５】
液体微細化装置３は、図２に示すように、吸込口４と排気口５を有する本体ケース６と、この本体ケース６内の吸込口４と排気口５とを結ぶ風路に設けた加熱手段としての熱交換器７および送風手段としてのファンモータ８と、このファンモータ８と排気口５との間に設けた液体微細化手段９とを備えた構成としている。
【００１６】
また、ファンモータ８から液体微細化手段９へ通じる風路は、ケーシング１０により形成され、液体微細化手段９と排気口５の間に補助熱交換器１１を設けている。
【００１７】
液体微細化手段９は、図２に示すように、筒状の経路１２と、この筒状の経路１２の内部に設けた回転手段１３と、この回転手段１３に水を供給する液体供給手段としての給水管１４を備える。この給水管１４には定流量弁１５を設け、この定流量弁１５の下流側の給水管１４は筒状の経路１２に接触するように配している。さらに第１の開閉弁１７が定流量弁１５の下流側配管に、第２の開閉弁１８が給水管１４の分岐管１６に、それぞれ設けられている。
【００１８】
回転手段１３は、回転軸１９と、この回転軸１９の軸方向に、回転軸１９を中心として回動する複数の回転板２０ａ，２０ｂを所定間隔で固定して設けている。本実施の形態では、回転軸１９の上方に設けた回転板２０ａと、下方に設けた回転板２０ｂとの二つを設ける構成とする。
【００１９】
回転手段１３の上部には、回転軸１９を駆動するためのモータ２１を備え、回転手段１３の下部には、モータ２１の駆動により高速回転する回転軸１９および複数の回転板２０ａ，２０ｂを支えるための保持部２２を備えている。
【００２０】
筒状の経路１２の内壁には、内壁に付着した水を下方の回転板２０ｂへと案内する液体案内手段２３として、貯水手段２４および水路２５を設ける構成とする。
【００２１】
液体案内手段２３は、図２に示すように、筒状の経路１２の内壁に付着した水を下方の回転板２０ｂへと案内するために、本実施の形態では、上方の回転板２０ａと下方の回転板２０ｂとの間に、筒状の経路１２の内壁に沿って貯水手段２４を設け、この貯水手段２４から下方の回転板２０ｂの上面へと水を案内する水路２５を設ける構成とする。水路２５は、貯水手段２４の三方から筒状の経路１２の中心に向かって伸びる形状とし、図２に示すように下方の回転板２０ｂの上面で中心に向かい開口している。
【００２２】
以上の構成において、次に動作を説明する。
【００２３】
サウナ室１内において、サウナを使用する場合、まず、図示していないガス湯沸かし器や電気温水器等の熱源から、図１に示すパイプ２６を介し、図２に示す熱交換器７に温水が供給される。また、給水管１４へは配管２７により市水が供給される。給水管１４に供給される市水は、極めて少量であって、この時点では、給水管１４から排出されていない。
【００２４】
この状態で、熱交換器７が運転され、ファンモータ８が駆動されると、ファンモータ８が吸込口４を介してサウナ室１内の空気を吸い込み、吸い込まれた空気は熱交換器７によって加熱される。加熱された空気は、ファンモータ８によって、ケーシング１０を介して、筒状の経路１２へと送られる。
【００２５】
その後、モータ２１が駆動されると、回転軸１９が高速回転し、それにともない回転板２０ａおよび回転板２０ｂが高速回転される。
【００２６】
このとき、給水管１４は、高速回転する上方の回転板２０ａの上面に水を供給する。上方の回転板２０ａの上面に供給された水は、高速回転による遠心力によって外周方向に向かって薄膜状に広がり、この薄膜状になった水は、回転板２０ａの外周縁から接線方向へと高速で吹き飛ばされる。
【００２７】
このように、遠心力で飛散した水滴は、筒状の経路１２の内壁に衝突して破砕され、水の微細化が促進される。
【００２８】
そして、給水管１４から上方の回転板２０ａの上面に供給された水は、この時点で大部分が微細化され、加熱された暖かい空気と混ざって蒸気の状態となっている。
【００２９】
一方、上方の回転板２０ａから遠心力により飛散した水滴のうち、微細化されずに筒状の経路１２の内壁に付着したわずかな水滴や、微細化された後に内壁において結露した微量の水滴は、筒状の経路１２の内壁をつたって、貯水手段２４に流れ落ち、貯水される。貯水手段２４に貯まったわずかな水は、水路２５を介して、貯水手段２４の三方向から、下方の回転板２０ｂの上面へと運ばれる。
【００３０】
このように、下方の回転板２０ｂに運ばれたわずかな水も、上方の回転板２０ａと同様に下方の回転板２０ｂが高速回転することにより、微細化が行われる。すなわち、筒状の経路１２の内壁から、貯水手段２４および水路２５を介して、下方の回転板２０ｂの上面に供給されたわずかな水滴は、高速回転による遠心力で外周方向に向かって薄膜状に広がって、外周縁から接線方向へと高速で吹き飛ばされ、吹き飛ばされた水滴が筒状の経路１２の内壁に衝突して破砕され、水の微細化が促進される。  
【００３１】
このように、上方の回転板２０ａに供給された水は、上方の回転板２０ａが高速回転することによって大部分が微細化されるのに加え、わずかに残った微細化されなかった一部の水滴も、筒状の経路１２に設けた液体案内手段２３を介して、高速回転する下方の回転板２０ｂへと運ばれてほぼ完全に微細化される。
【００３２】
回転板２０ａおよび回転板２０ｂの高速回転によって微細化された水を含む暖かい空気は、ファンモータ８の送風によって、排気口５からサウナ室１の内部へ蒸気として供給される。
【００３３】
以上の説明で本実施形態の基本的な構成及び作用効果が理解されたところで、以下に本実施形態の特徴について説明する。
【００３４】
図３に第１の開閉弁１７、第２の開閉弁１８の設置位置を示す。
【００３５】
図３に示すように、第１の開閉弁１７は定流量弁１５の下流側に、第２の開閉弁１８は、第１の開閉弁１７の下流側の配管を分岐させ、この分岐管１６の途中で分岐箇所より上方に設置しており、分岐管１６の先端は上向きに開放させている。図３は分岐させた配管がＬ字状の場合を示しているが、分岐させた配管の形状は他の形状でもよく、第２の開閉弁１８を開くことにより、第１の開閉弁１７より下方の配管内残水が、給水管１４から上方の回転板２０ａの上面に自然落下すればよい。
【００３６】
図４に第１の開閉弁１７、第２の開閉弁１８の開閉状態を示す。図４（ａ）は、サウナ（液体微細化）運転時、図４（ｂ）〜（ｄ）はサウナ（液体微細化）運転停止時である。
【００３７】
図４（ａ）はサウナ運転時で、第１の開閉弁１７は開、第２の開閉弁１８は閉の状態で、定流量弁１５により、給水管１４から上方の回転板２０ａの上面に水を定量供給しており、図２に示すファンモータ８と回転軸１９を駆動するためのモータ２１は運転状態で、回転板２０ａ、２０ｂは回転し、図４（ａ）に示すように、筒状の経路１２内では破線矢印の方向に送風されている。
【００３８】
図４（ｂ）はサウナ運転停止（図示していないリモコン等の操作盤の停止ボタンが押された）直後で、第１の開閉弁１７を閉じ、給水管１４から上方の回転板２０ａの上面への水の供給は止まり、第１の開閉弁１７より下方の給水管１４内、及び第２の開閉弁１８より下方の分岐管１６内には残水がある。ファンモータ８とモータ２１の運転状態は図４（ａ）と同じである。
【００３９】
図４（ｃ）は図４（ｂ）の配管内に残水がある状態で、第２の開閉弁１８を開いて配管内を大気開放とすることにより、給水管１４及び分岐管１６内の残水を自然落下させ、給水管１４から上方の回転板２０ａの上面に水を供給している。ファンモータ８とモータ２１の運転状態は図４（ａ）と同じで、上方の回転板２０ａの上面に供給された残水は微細化され、排気口５からサウナ室１の内部へ蒸気として供給される。
【００４０】
図４（ｄ）は配管内の残水が全て自然落下し、給水管１４から上方の回転板２０ａの上面に水が供給されない状態で、この状態になった直後は、上方の回転板２０ａ、下方の回転板２０ｂの上面には水が残っているため、この状態になってもしばらくはファンモータ８とモータ２１は運転している。通常、図４（ｃ）で第２の開閉弁１８を開いてから、残水が全て微細化され、排気口５からサウナ室１の内部へ蒸気として供給されるまで１分位であり、この時間、ファンモータ８とモータ２１を残置運転すればよい。
【００４１】
以上のように、定流量弁１５の下流側に第１の開閉弁１７を設け、この第１の開閉弁１７の下流側の給水管１４を分岐させ、この分岐させた分岐管１６の途中で分岐箇所より上方に第２の開閉弁１８を設け、この第２の開閉弁１８より上方で分岐管１６の先端を上方に開放した構成により、液体微細化終了時に、液体を供給する配管内を大気開放するための第２の開閉弁１８を開くことで、液体を供給する配管内の残水をなくすことができる。
【００４２】
すなわち、上方の回転板２０ａに液体を供給する給水管１４内に残水があると、この給水管１４の先端は開放されているため、給水管１４内の残水は空気に触れ、菌が発生する。そこで本実施形態では、第１の開閉弁１７の下流側の残水をなくす、すなわち第１の開閉弁１７を閉じ、第２の開閉弁１８を開くことにより、空気に触れる残水をなくすことができるので、次の液体微細化開始時には、菌の発生のない、クリーンな水を液体微細化手段９に供給することができるという効果を奏する。
【００４３】
さらに、残水を高速で回転する回転手段１３に供給するので、残水もほぼすべて微細化あるいは気化することができ、その結果として、微細化できなかった液体を排出するために、サウナ室１に配管を施工する必要もなく、施工作業が簡単になるという効果も奏する。
【００４４】
次に、第１の開閉弁１７を閉じ、この上流側の残水を、液体微細化開始時に液体微細化手段９に供給するに当たり、より安全に、菌の発生のない、クリーンな水を供給するため、定流量弁１５の下流側で供給する水を加熱する場合について説明する。すなわち第１の開閉弁１７を閉じ、この上流側の残水が空気に触れないようにしているが、完全に遮断は難しく、長時間の停止時には菌が発生する恐れがある。
【００４５】
ここで問題になる菌はレジオネラ菌で、水温２０〜４０℃前後が発生しやすく、５０℃以上（７０℃でほぼ一瞬）で死滅すると言われている。
【００４６】
そこで本実施形態では、図２に示すように、定流量弁１５の下流側の給水管１４を排気口５近傍の筒状の経路１２の外面に接触するように配している（図中の点線部Ａ）。この場合、筒状の経路１２内を通過する温風を熱源として上方の回転板２０ａに供給する水を加熱している。
【００４７】
すなわち、排気口５からサウナ室１の内部へ供給される微細化水を含む温風は６０〜７０℃と暖かく、筒状の経路１２の外面も温められているため、定流量弁１５の下流側の給水管１４を排気口５近傍の筒状の経路１２の外面に接触するように配することにより、上方の回転板２０ａに供給する水をレジオネラ菌が死滅する温度まで加熱することができる。
【００４８】
さらに温風温度は安定しており、加熱した水温もほぼ一定にできるため、加熱時間も一定となり、定流量弁１５の下流側の給水管１４を図２の点線部Ａで示す多段のＵ字構成とすることにより、配管内の残水にレジオネラ菌が発生し、レジオネラ菌の死滅条件が５０℃１分間という場合でも、発生したレジオネラ菌を死滅させることができる。
【００４９】
多段のＵ字構成について詳細に説明する。
【００５０】
図２に示すように、定流量弁１５の下流側の給水管１４は排気口５近傍の筒状の経路１２の外面に接触させ、上から下へ、水平方向のＵ字状に２往復させている。この往復回数、すなわち接触させる部分の長さは、必要加熱量の最大値から決定され、供給水温が最低となる冬場の例えば５℃から加熱する場合でも設定温度まで加熱できるよう、決定される。
【００５１】
また、図２に示す、補助熱交換器１１を液体微細化手段９と排気口５の間に設けることにより、排気口５からサウナ室１の内部へ供給される微細化水を含む温風の温度を高めることができるので、筒状の経路１２を介しての、温風から定流量弁１５の下流側の給水管１４内への単位面積当たりの熱交換量を増やせるため、定流量弁１５から供給される水を短時間で加熱することができる。すなわち、上記の接触させる部分の長さを短くできる。
【００５２】
以上のように、配管内の空気に触れる残水をなくすことにより、菌の発生を防ぎ、菌の発生のない、クリーンな水を微細化手段に供給することができ、さらに定流量弁１５の下流側の給水管１４を加熱、すなわち上方の回転板２０ａに供給する水を加熱することにより、より安全に、菌の発生のない、クリーンな水を上方の回転板２０ａに供給できるという効果を奏する。
【００５３】
（実施の形態２）
次に、定流量弁１５の下流側で上方の回転板２０ａに供給する水を加熱する例を図５の配管構成を示す図で説明する。実施の形態１と同様の構成は同じ番号を付し、詳細な説明は省略する。
【００５４】
図５では、図２では図示しなかった、水加熱手段としての水−水熱交換器３１と、この水−水熱交換器３１で熱交換した後の温水を、サウナ室１に噴霧するスプラッシュノズル３２を備え、温水循環設備３３であるガス湯沸かし器や電気温水器からの温水の一部を、（熱交換器７、補助熱交換器１１および）水−水熱交換器３１で熱交換させており、定流量弁１５の下流側の給水管１４をこの水−水熱交換器３１に接するように構成することで、定流量弁１５の下流側で上方の回転板２０ａに供給する水を加熱している。一方、市水配管は途中分岐し、市水は定流量弁１５と水−水熱交換器３１に供給されている。
【００５５】
また、第３の開閉弁３４をスプラッシュノズル３２と水−水熱交換器３１を接続する配管３５に設け、さらに第３の開閉弁３４の下流側の配管３５を分岐させ、この分岐させた配管の途中で分岐箇所より上方に第４の開閉弁３６を設け、分岐させた配管の先端を第４の開閉弁３６より上方で上向きに開放している。
【００５６】
ここで、水−水熱交換器３１とスプラッシュノズル３２を備えることにより、この水−水熱交換器３１にて加熱された温水をスプラッシュノズル３２からサウナ室１へ噴霧でき、室内には水滴をほとんど供給しない加湿運転に対し強制的に水を噴霧するスプラッシュ運転もできるサウナ装置である。
【００５７】
以上の構成において、次に動作を説明する。
【００５８】
図５に示すように、第３の開閉弁３４はスプラッシュノズル３２と水−水熱交換器３１を接続する配管３５に、第４の開閉弁３６は、第３の開閉弁３４の下流側の配管３５を分岐させ、この分岐させた配管の途中で分岐箇所より上方に設置しており、分岐させた配管の先端は上向きに開放させている。図５は分岐させた配管がＬ字状の場合を示しているが、分岐させた配管の形状は他の形状でもよく、第３の開閉弁３４を閉じ、第４の開閉弁３６を開くことにより、第３の開閉弁３４より下方の残水が、スプラッシュノズル３２から自然落下すればよい。
【００５９】
また、スプラッシュノズル３２が先端の開放部を遮断、すなわち噴霧停止時に空気に触れないよう配管３５内を密封できる弁を内蔵している場合、第４の開閉弁３６は設けなくてもよい。
【００６０】
温水循環設備３３から出た温水は、補助熱交換器１１までの経路途中で分配され、一部の温水は水−水熱交換器３１へ供給され、水−水熱交換器３１内ではスプラッシュノズル３２へ供給される水を加熱している。また、補助熱交換器１１で微細化水を含む空気を加熱した温水は、次に熱交換器７へ送られ、熱交換器７内でサウナ室から吸い込んだ空気を加熱する。この熱交換器７を出た温水は水−水熱交換器３１内で熱交換した温水と合流し、温水循環設備３３へ戻り、温水循環設備３３内で再加熱され、循環利用される。
【００６１】
一方、定流量弁１５の下流側で上方の回転板２０ａに供給する水は、定流量弁１５の下流側の給水管１４を水−水熱交換器３１に接するように構成することで加熱されている。この加熱のための熱源は水−水熱交換器３１本体であり、温水循環設備３３から出た温水の入口近傍で接するようにすればより高温まで加熱できる。
【００６２】
さらに図６（ａ）に示すように、定流量弁１５の下流側の給水管１４を筒状の経路１２の外面にも接するように、すなわち、筒状の経路１２と水−水熱交換器３１で挟み込むように構成するのが好ましい。この構成により、筒状の経路１２内を通過する温風の熱も利用でき、水−水熱交換器３１だけに接するより、定流量弁１５の下流側の給水管１４を加熱することができる。図６（ｂ）に実施の形態１でも説明したＵ字状の配管を示す。第１の開閉弁１７を閉じ、第２の開閉弁１８を開くことにより、配管内の水が自然落下するように上から下へ水平方向にＵ字が構成されている。
【００６３】
以上のように、水−水熱交換器３１を備えた場合も、サウナ運転停止時には、第３の開閉弁３４より下方の残水をスプラッシュノズル３２から排水することができるので、次のスプラッシュ運転開始時には、菌の発生のない、クリーンな水をスプラッシュノズル３２からサウナ室１へ噴霧することができるという効果を奏する。
【００６４】
さらに定流量弁１５の下流側の給水管１４から上方の回転板２０ａに供給する水を加熱することにより、より安全に、菌の発生のない、クリーンな水を上方の回転板２０ａに供給できるという効果を奏する。
【００６５】
なお、複数の回転板２０ａ，２０ｂの回転数は、３０００ｒｐｍ（ｒｐｍは毎分の回転数を表す単位）より低い回転数とすることにより、高速回転による騒音を抑えることが可能となるという効果を奏する。
【００６６】
以上、実施の形態１、２では、上記の液体微細化装置３をサウナ室１に設置してサウナ装置として利用した場合に、第１の開閉弁１７の下流側の残水をなくす、すなわち第１の開閉弁１７を閉じ、第２の開閉弁１８を開くことにより、空気に触れる残水をなくすことができるので、次の液体微細化開始時には、菌の発生のない、クリーンな水を液体微細化手段９に供給することができるという効果を奏する。
【００６７】
また、水加熱手段として水−水熱交換器３１を有し、スプラッシュ運転もできるサウナ装置においても、第３の開閉弁３４を閉じ、第４の開閉弁３６を開くことにより、第３の開閉弁３４より下方の残水が、スプラッシュノズル３２から排水でき、次のスプラッシュ運転開始時には、菌の発生のない、クリーンな水をスプラッシュノズル３２からサウナ室１へ噴霧することができるという効果を奏する。
【００６８】
また、残水を高速で回転する回転手段に供給するので、残水もほぼすべて微細化あるいは気化することができ、その結果として、微細化できなかった液体を排出するために、サウナ室に配管を施工する必要もなく、施工作業が簡単になるという効果も奏する。
【産業上の利用可能性】
【００６９】
以上のように、本発明の液体微細化装置は、第１の開閉弁の下流側の残水をなくす、すなわち第１の開閉弁を閉じ、第２の開閉弁を開くことにより、空気に触れる残水をなくすことができるので、次の液体微細化開始時には、菌の発生のない、クリーンな水を微細化手段に供給することができるとともに、水を効率よく、ほぼ完全に微細化することが可能となり、微細化されなかった水を特別に排出しなくても自然に乾燥させることもできるので、排液手段を別途設ける必要のないものとなる。
【００７０】
したがって、例えば、サウナ装置、加湿装置、冷却装置、噴霧装置、洗浄装置、植物育成設備等への活用が期待される。また、水だけでなく、油や洗剤等のその他の液体の微細化設備にも利用することが可能である。
【符号の説明】
【００７１】
１    サウナ室
２    天井面
３    液体微細化装置
４    吸込口
５    排気口
６    本体ケース
７    熱交換器
８    ファンモータ
９    液体微細化手段
１０  ケーシング
１１  補助熱交換器
１２  筒状の経路
１３  回転手段
１４  給水管
１５  定流量弁
１６  分岐管
１７  第１の開閉弁
１８  第２の開閉弁
１９  回転軸
２０ａ、２０ｂ  回転板
２１  モータ
２２  保持部
２３  液体案内手段
２４  貯水手段
２５  水路
２６  パイプ
２７、３５  配管
３１  水−水熱交換器
３２  スプラッシュノズル
３４  第３の開閉弁
３６  第４の開閉弁
【図１】
0005532822.tif 000002
【図２】
0005532822.tif 000003
【図３】
0005532822.tif 000004
【図４】
0005532822.tif 000005
【図５】
0005532822.tif 000006
【図６】
0005532822.tif 000007